【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
ａ）第１端および第２端およびそれらを貫通する通路、並びに少なくとも第１内部アバットメントを含む内部壁を有する頭部と、
ｂ）本体部であって、第１端、第２端、少なくとも第１外部アバットメントを含む頭部分、前記本体部の頭部分に近接する外部リップ、その中の少なくとも１つのスロット、およびそれらを貫通する通路を有し、前記本体部の前記外部リップが、前記頭部の第２端に近接する前記頭部分と確実に係合するように適応された、本体部と
を備える、分析機器システムに使用するためのトルク制限接続具。
【請求項２】
前記少なくとも第１内部アバットメントは第１傾斜部分および第２傾斜部分を含む、請求項１に記載のトルク制限接続具。
【請求項３】
前記第１傾斜部分は前記第２傾斜部分より急傾斜である、請求項２に記載のトルク制限接続具。
【請求項４】
前記頭部は複数の内部アバットメントを含む、請求項１に記載のトルク制限接続具。
【請求項５】
前記頭部は二つの内部アバットメントを含む、請求項４に記載のトルク制限接続具。
【請求項６】
前記少なくとも第１外部アバットメントは第１傾斜部分および第２傾斜部分を含む、請求項１に記載のトルク制限接続具。
【請求項７】
前記第１傾斜部分は前記第２傾斜部分より急傾斜である、請求項６に記載のトルク制限接続具。
【請求項８】
前記本体部は複数の外部アバットメントを含む、請求項１に記載のトルク制限接続具。
【請求項９】
前記本体部は、前記本体部の前記頭部と前記外部リップの間に第１外部非テーパ部分、第１外部テーパ部分、および第２外部非テーパ部分をさらに含む、請求項１に記載のトルク制限接続具。
【請求項１０】
前記本体部は、前記外部リップと前記雄ねじ部分の間に第３外部非テーパ部分、第２外部テーパ部分、および第４外部非テーパ部分をさらに含む、請求項９に記載のトルク制限接続具。
【請求項１１】
前記頭部の前記外部テーパ部分の角度は約６０°である、請求項１に記載のトルク制限接続具。
【請求項１２】
前記本体部の前記第１外部テーパ部分の角度は約６０°である請求項１１に記載のトルク制限接続具。
【請求項１３】
前記本体部の前記第２外部テーパ部分の角度は約９０°である請求項１２に記載のトルク制限接続具。
【請求項１４】
前記頭部または前記本体部はポリエーテルエーテルケトンを含む、請求項１に記載のトルク制限接続具。
【請求項１５】
前記本体部の内部通路を通って延びる少なくとも１つの配管をさらに含む、請求項１に記載のトルク制限接続具。
【請求項１６】
前記分析機器システムは、液体クロマトグラフィ、ガスクロマトグラフィ、イオンクロマトグラフィ、インビトロ診断分析または環境分析システムを含む、請求項１に記載のトルク制限接続具。
【請求項１７】
前記本体部は少なくとも１種の生体適合性材料を含む、請求項１に記載のトルク制限接続具。
【請求項１８】
ａ）頭部であって、第１端および第２端およびそれらを貫通する通路、外部直径および内部直径を有しかつ前記頭部の前記第２端に近接する部分、並びに少なくとも第１内部アバットメントを含む内部壁を有する頭部と、
ｂ）本体部であって、第１端、第２端、少なくとも第１外部アバットメントを含む頭部分、前記本体部の頭部分に近接する外部リップ、およびそれらを貫通する通路を有し、前記本体部の前記外部リップが、前記頭部分の内部直径より大きくかつ前記頭部分の外部直径より小さい外部直径を有し、前記本体部の前記外部リップが、前記頭部分と確実に係合するように適応された、本体部と
を備える、少なくとも１つのトルク制限接続具を含む分析機器システム。
【請求項１９】
前記トルク制限接続具の前記本体部の第２端に近接して位置される内部通路を含むフェルールをさらに含む、請求項１８に記載の分析機器システム。
【請求項２０】
前記本体部の内部通路および前記フェルールの内部通路を通って延びる少なくとも１つの配管をさらに含む、請求項１９に記載の分析機器システム。
【請求項２１】
前記分析機器システムは、液体クロマトグラフィ、ガスクロマトグラフィまたはイオンクロマトグラフィ、インビトロ診断分析システムおよび環境分析システムのうちの少なくとも１つを含む、請求項１８に記載の分析機器システム。
【請求項２２】
内部に延在する配管を含むフェルールおよびトルク制限接続具を分析機器システムのポート、接続具、または構成部品に接続することを含む、分析機器システムの配管を接続する方法であって、前記トルク制限接続具は、
ａ）頭部であって、第１端および第２端およびそれらを貫通する通路、前記頭部の前記第２端に近接する部分、並びに少なくとも第１内部アバットメントを含む内部壁を有する頭部と、
ｂ）本体部であって、第１端、第２端、少なくとも第１外部アバットメントを含む頭部分、前記本体部の頭部分に近接する外部リップ、その中の少なくとも１つのスロット、ねじ部分、およびそれらを貫通する通路を有し、前記本体部の前記外部リップが、前記頭部分と確実に係合するように適応された、本体部と
を備え、
前記ポート、接続具または構成部品はねじ部分を含み、前記ポート、接続具または構成部品の前記ねじ部分は、前記本体部の前記ねじ部分と確実に係合するように適応される、方法。
【請求項２３】
前記分析機器システムは、液体クロマトグラフィ、ガスクロマトグラフィ、イオンクロマトグラフィ、インビトロ診断分析または環境分析システムを含む、請求項２２に記載の方法。
【請求項２４】
ａ）頭部であって、第１端および第２端およびそれらを貫通する通路、前記頭部の前記第２端に近接する部分、並びに少なくとも複数の内部アバットメントを含む内部壁を有する頭部と、
ｂ）本体部であって、第１端、第２端、複数の外部アバットメントを含む頭部分、前記本体部の前記頭部分に近接する外部リップ、およびそれらを貫通する通路を有し、前記本体部が、複数のスロットをその中に規定し、前記本体部の前記外部アバットメントが前記スロットに近接し、前記本体部の前記外部リップが前記頭部分と確実に係合するように適応される、本体部と
を備える、分析機器システムに使用するための接続組立体。
【請求項２５】
前記頭部の内部アバットメントおよび前記本体部の外部アバットメントは、前記頭部および前記本体部が相互に対して回転されるときに、予め決定されたトルクより大きいトルクの移動を防止するように適応される、請求項２４に記載の接続組立体。
【請求項２６】
前記頭部の内部アバットメントおよび前記本体部の外部アバットメントは、前記頭部および前記本体部が相互に対して回転されるときに、予め決定された最大トルクを与えるように選択された形状を含む、請求項２５に記載の接続組立体。
【請求項２７】
前記頭部および前記本体部は、予め決定されたトルクが適用されるときに、前記本体部のアバットメントの少なくとも１つが半径方向に内側にたわむように適応される、請求項２４に記載の接続組立体。
【請求項２８】
前記頭部および前記本体部は、予め決定されたトルクが適用されるときに、前記本体部のアバットメントの少なくとも１つが半径方向に内側にたわむように適応される、請求項２２に記載の方法。
【請求項２９】
前記頭部の内部アバットメントおよび前記本体部の外部アバットメントは、前記頭部および前記本体部が相互に対して回転されるときに、予め決定されたトルクより大きいトルクの移動を防止するように適応される、請求項１に記載のトルク制限接続具。
【請求項３０】
前記頭部および前記本体部は、予め決定されたトルクが適用されるときに、前記本体部のアバットメントの少なくとも１つが半径方向に内側にたわむように適応される、請求項１に記載のトルク制限接続具。
【請求項３１】
前記頭部および前記本体部は、予め決定された最大トルクより大きいトルクの移動を防止するように適応される、請求項１に記載のトルク制限接続具。
【請求項３２】
前記頭部の内部アバットメントおよび前記本体部の外部アバットメントは、トルク制限接続具への予め決定されたトルクより大きいトルクの移動を防止するように適応される、請求項１８に記載の分析機器システム。
【請求項３３】
前記頭部および前記本体部は、予め決定されたトルクが適用されるときに、前記本体部のアバットメントの少なくとも１つが半径方向に内側にたわむように適応される、請求項１８に記載の分析機器システム。
【請求項３４】
前記頭部および前記本体部は、予め決定された最大トルクより大きいトルクの移動を防止するように適応される、請求項１８に記載の分析機器システム。
【請求項３５】
前記頭部の内部アバットメントおよび前記本体部の外部アバットメントは、前記頭部および前記本体部が相互に対して回転されるときに、接続組立体への予め決定された最大トルクより大きいトルクの移動を防止するように適応される、請求項２２に記載の方法。
【請求項３６】
前記頭部および前記本体部は、予め決定された最大トルクより大きいトルクの移動を防止するように適応される、請求項２２に記載の方法。
【請求項３７】
ａ）頭部であって、第１端および第２端およびそれらを貫通する通路、前記頭部の前記第２端に近接する第１部分、並びに少なくとも複数の内部アバットメントを含む内部壁を有する頭部と、
ｂ）本体部であって、第１端、第２端、複数の外部アバットメントを含みかつ複数のスロットをその中に規定する頭部分、前記本体部の前記頭部分に近接する外部リップ、ねじ部分、およびそれらを貫通する通路を有し、前記本体部の前記外部アバットメントが前記スロットに近接し、前記本体部の前記外部リップが前記頭部分と確実に係合するように適応される、本体部と
を備える、分析機器システムに使用するための接続組立体であって、
前記頭部の内部アバットメントおよび前記本体部の外部アバットメントは、使用者が前記頭部および前記本体部を相互に対して回転するときに、予め決定されたトルクより大きいトルクを使用者が適用することを防止するように適応される、接続組立体。
【請求項３８】
前記頭部および前記本体部は、前記頭部および前記本体部が相互に対して回転されて、予め決定されたトルクが到達されるときに、前記頭部および前記本体部のうち少なくとも１つが半径方向に内側にたわむように適応される、請求項３７に記載の接続組立体。
【請求項３９】
前記本体部および前記頭部は、予め決定されたトルクを超えるトルクを適用することなしに漏れなしでゼロ体積接続が得られるように適応される、請求項３７に記載の接続組立体。
【請求項４０】
前記本体部は、生体適合性材料を含む、請求項３９に記載の接続組立体。
【請求項４１】
前記本体部および前記頭部は、それぞれ、ポリエーテルエーテルケトンを含む、請求項４０に記載の接続組立体。
【請求項４２】
複数のスロットは、本体部の頭部分を通して半径方向に延びるスロットを含む、請求項３７に記載の接続組立体。
【請求項４３】
複数のスロットは、本体部の壁部分の中空部分を含むスロットを含む、請求項３７に記載の接続組立体。
【請求項４４】
ａ）第１端および第２端およびそれらを貫通する通路、並びに少なくとも複数の内部アバットメントを含む内部壁を有する頭部であって、前記内部アバットメントの少なくとも１つが傾斜部分を有する頭部と、
ｂ）本体部であって、第１端、第２端、複数の外部アバットメントを含む頭部分であって、前記本体部の頭部分を通して延びる少なくとも１つのスロットを有する頭部分、およびそれらを貫通する通路を有し、前記本体部の第１端の少なくとも一部が、前記頭部の第２端の一部の内側に除去可能に接続するように適応される、本体部と
を備える、分析機器システムに使用するための接続組立体であって、
前記頭部の内部アバットメントおよび前記本体部の外部アバットメントは、予め決定されたトルクより大きいトルクが適用されるときに、外部アバットメントの少なくとも１つが内側に曲がり、これにより、予め決定されたトルクより大きいトルクの移動を防止するように、協同するように適応される、接続組立体。
【請求項４５】
複数のスロットは、本体部の頭部分を通して半径方向に延びるスロットを含む、請求項４４に記載の接続組立体。
【請求項４６】
複数のスロットは、本体部の壁部分の中空部分を含むスロットを含む、請求項４４に記載の接続組立体。